(57)【特許請求の範囲】
【請求項１】
複数の通話機器と、該複数の通話機器間の通話を制御する配信センタ側コンピュータとを有する複数通話機器間の通話制御システムであって、
複数の通話機器のうち少なくとも１つの通話機器は、
配信センタの電話番号および他の通話機器の電話番号を入力する電話番号入力手段と、
配信センタ側コンピュータへの上りチャネル中における所定のスチール・ビットで形成された制御チャネルを通して所定のパターン・データを送信するパターン・データ送信手段と、
配信センタ側コンピュータから電話番号送信可能の信号を受信した場合、前記電話番号入力手段により入力された他の通話機器の電話番号を前記制御チャネルを通して配信センタ側コンピュータへ送信する電話番号送信手段と
を備え、
前記配信センタ側コンピュータは、
通話機器から送信されたデータ中に前記パターン・データ送信手段により送信された所定のパターン・データを検出した場合、電話番号送信可能の信号を該通話機器への下りチャネルを通して送信する通話機器識別手段と、
前記電話番号送信手段により送信された電話番号に対応する他の通話機器へ通話参加の有無を問い合わせる問い合わせ情報を送信し、通話参加の有無を確認する通話参加確認手段と、
前記通話参加確認手段により他の通話機器の通話参加の確認が行われた場合、通話機器と該他の通話機器との間を接続して通話を配信する配信手段と
を備えたことを特徴とする通話制御システム。
【請求項２】
請求項１記載の通話制御システムにおいて、前記電話番号入力手段は、他の通話機器の電話番号の後または前に配信センタの電話番号を入力することを特徴とする通話制御システム。
【請求項３】
請求項１記載の通話制御システムにおいて、前記パターン・データ送信手段における所定のスチール・ビットは、上りチャネル中の少なくとも１ビットであることを特徴とする通話制御システム。
【請求項４】
請求項１記載の通話制御システムにおいて、
前記通話機器識別手段は、通話機器から送信されたデータ中に前記パターン・データ送信手段により送信された所定のパターン・データを検出しなかった場合、該通信機器との間の回線を解放することを特徴とする通話制御システム。
【請求項５】
請求項１記載の通話制御システムにおいて、前記通話参加確認手段における問い合わせ情報は、該通話機器の電話番号および該通話機器の使用者名を含むことを特徴とする通話制御システム。
【請求項６】
請求項１記載の通話制御システムにおいて、前記通話参加確認手段は、他の通話機器から所定の信号を受信した場合、通話参加を確認することを特徴とする通話制御システム。
【請求項７】
請求項１記載の通話制御システムにおいて、
前記配信手段は、各通話機器から送信された通話を減算した通話を該各通話機器へ配信することを特徴とする通話制御システム。
【請求項８】
複数の通話機器間の通話制御システムにおける通話機器であって、
他の複数の通話機器間との通話を制御する配信センタの電話番号および他の通話機器の電話番号を入力する電話番号入力手段と、
配信センタ側コンピュータへの上りチャネル中における所定のスチール・ビットで形成された制御チャネルを通して所定のパターン・データを送信するパターン・データ送信手段と、
前記パターン・データ送信手段により送信された所定のパターン・データを検出した配信センタ側コンピュータから電話番号送信可能の信号を受信した場合、前記電話番号入力手段により入力された他の通話機器の電話番号を前記制御チャネルを通して配信センタ側コンピュータへ送信する電話番号送信手段と
を備えたことを特徴とする通話機器。
【請求項９】
複数の通話機器間の通話制御システムにおける該複数の通話機器間の通話を制御する配信センタ側コンピュータであって、
通話機器から送信されたデータ中に、配信センタ側コンピュータへの上りチャネル中における所定のスチール・ビットで形成された制御チャネルを通して送信された所定のパターン・データを検出した場合、電話番号送信可能の信号を該通話機器への下りチャネルを通して送信する通話機器識別手段と、
通話機器から送信された電話番号に対応する他の通話機器へ通話参加の有無を問い合わせる問い合わせ情報を送信し、通話参加の有無を確認する通話参加確認手段であって、該通話機器は前記通話機器識別手段から電話番号送信可能の信号を受信したものであり、
前記通話参加確認手段により他の通話機器の通話参加の確認が行われた場合、通話機器と該他の通話機器との間を接続して通話を配信する配信手段と
を備えたことを特徴とする配信センタ側コンピュータ。
【請求項１０】
複数の通話機器と、該複数の通話機器間の通話を制御する配信センタ側コンピュータとを有する通話制御システムにおける通話制御方法であって、
複数の通話機器のうち少なくとも１つの通話機器が、配信センタの電話番号および他の通話機器の電話番号を入力する電話番号入力ステップと、
通話機器から配信センタ側コンピュータへの上りチャネル中における所定のスチール・ビットで形成された制御チャネルを通して所定のパターン・データを送信するパターン・データ送信ステップと、
通話機器から送信されたデータ中に前記パターン・データ送信ステップにより送信された所定のパターン・データを検出した場合、電話番号送信可能の信号を配信センタ側コンピュータから該通話機器への下りチャネルを通して送信する通話機器識別ステップと、
通話機器が配信センタ側コンピュータから電話番号送信可能の信号を受信した場合、前記電話番号入力ステップにより入力された他の通話機器の電話番号を前記制御チャネルを通して配信センタ側コンピュータへ送信する電話番号送信ステップと、
前記電話番号送信ステップにより送信された電話番号に対応する他の通話機器へ通話参加の有無を問い合わせる問い合わせ情報を送信し、通話参加の有無を確認する通話参加確認ステップと、
前記通話参加確認ステップにより他の通話機器の通話参加の確認が行われた場合、通話機器と該他の通話機器との間を接続して通話を配信する配信ステップとを備えたことを特徴とする通話制御方法。
【請求項１１】
複数の通話機器間の通話制御システムにおける通話機器を制御するプログラムであって、コンピュータを、
他の複数の通話機器間との通話を制御する配信センタ側コンピュータを有する配信センタの電話番号および他の通話機器の電話番号を入力する電話番号入力手段、
配信センタ側コンピュータへの上りチャネル中における所定のスチール・ビットで形成された制御チャネルを通して所定のパターン・データを送信するパターン・データ送信手段、
前記パターン・データ送信手段により送信された所定のパターン・データを検出した配信センタ側コンピュータから電話番号送信可能の信号を受信した場合、前記電話番号入力手段により入力された他の通話機器の電話番号を前記制御チャネルを通して配信センタ側コンピュータへ送信する電話番号送信手段
として機能させるためのプログラム。
【請求項１２】
複数の通話機器間の通話制御システムにおける該複数の通話機器間の通話を制御する配信センタ側コンピュータのプログラムであって、配信センタ側コンピュータを、
通話機器から送信されたデータ中に、配信センタ側コンピュータへの上りチャネル中における所定のスチール・ビットで形成された制御チャネルを通して送信された所定のパターン・データを検出した場合、電話番号送信可能の信号を該通話機器への下りチャネルを通して送信する通話機器識別手段、
通話機器から送信された電話番号に対応する他の通話機器へ通話参加の有無を問い合わせる問い合わせ情報を送信し、通話参加の有無を確認する通話参加確認手段であって、該通話機器は前記通話機器識別手段から電話番号送信可能の信号を受信したものであり、
前記通話参加確認手段により他の通話機器の通話参加の確認が行われた場合、通話機器と該他の通話機器との間を接続して通話を配信する配信手段
として機能させるためのプログラム。
【発明の詳細な説明】
【０００１】
【発明の属する技術分野】
本発明は、複数の通話機器間の通話を制御する通話制御システムに関し、特にＰＨＳ通信システムを使用して通話する通話制御システムに関する。
【０００２】
【従来の技術】
従来よりＰＨＳ通信システムは、通話、３２Ｋｂ／ｓあるいは６４Ｋｂ／ｓという通信速度を生かしたデータ通信および電波伝達距離の短さを利用した位置確認等に広く利用されて普及している。さらに、ＰＨＳ通信システムは、音声品質が良好であり、移動中でも簡便に利用できるという特徴を有している。
【０００３】
【発明が解決しようとする課題】
上述のようにＰＨＳ通信システムは移動中でも簡便に利用できる等の特徴を有しているが、一方、同時に多数の機種の異なる通話機器間で通話を行うような利用形態は未だ実用化されていないという問題があった。例えば通話を制御するセンタが予め設定された時刻に発呼して多地点の通話機器間を接続し、電話会議を開催するという電話会議サービスのような利用形態は未だ実用化されていなかった。従来のＰＨＳ通信システムは通話機器間の１対１の通信に限定されているため、電話会議サービスのような利用形態において、音声品質を確保しつつ、随時多数の参加者を募り通話に参加させる方法は実現されていないという問題があった。
【０００４】
そこで、本発明の目的は、上記問題を解決するためになされたものであり、ＰＨＳ通信システム等の複数の通話機器間の通話を制御する通話制御システムにおいて、同時に多数の機種の異なる通話機器間で通話を行うことができる通話制御システムを提供することにある。
【０００５】
本発明の他の目的は、ＰＨＳ通信システム等の複数の通話機器間の通話を制御する通話制御システムにおいて、音声品質を確保しつつ、随時多数の参加者を募り通話に参加させる方法を実現することができる通話制御システムを提供することにある。
【０００６】
【課題を解決するための手段】
この発明の通話制御システムは、複数の通話機器と、該複数の通話機器間の通話を制御する配信センタ側コンピュータとを有する複数通話機器間の通話制御システムであって、複数の通話機器のうち少なくとも１つの通話機器は、配信センタの電話番号および他の通話機器の電話番号を入力する電話番号入力手段と、配信センタ側コンピュータへの上りチャネル中における所定のスチール・ビットで形成された制御チャネルを通して所定のパターン・データを送信するパターン・データ送信手段と、配信センタ側コンピュータから電話番号送信可能の信号を受信した場合、前記電話番号入力手段により入力された他の通話機器の電話番号を前記制御チャネルを通して配信センタ側コンピュータへ送信する電話番号送信手段とを備え、前記配信センタ側コンピュータは、通話機器から送信されたデータ中に前記パターン・データ送信手段により送信された所定のパターン・データを検出した場合、電話番号送信可能の信号を該通話機器への下りチャネルを通して送信する通話機器識別手段と、前記電話番号送信手段により送信された電話番号に対応する他の通話機器へ通話参加の有無を問い合わせる問い合わせ情報を送信し、通話参加の有無を確認する通話参加確認手段と、前記通話参加確認手段により他の通話機器の通話参加の確認が行われた場合、通話機器と該他の通話機器との間を接続して通話を配信する配信手段とを備えたことを特徴とする。
【０００７】
ここで、この発明の通話制御システムにおいて、前記電話番号入力手段は、他の通話機器の電話番号の後または前に配信センタの電話番号を入力することができる。
【０００８】
ここで、この発明の通話制御システムにおいて、前記パターン・データ送信手段における所定のスチール・ビットは、上りチャネル中の少なくとも１ビットとすることができる。
【０００９】
ここで、この発明の通話制御システムにおいて、前記通話機器識別手段は、通話機器から送信されたデータ中に前記パターン・データ送信手段により送信された所定のパターン・データを検出しなかった場合、該通信機器との間の回線を解放することができる。
【００１０】
ここで、この発明の通話制御システムにおいて、前記通話参加確認手段における問い合わせ情報は、該通話機器の電話番号および該通話機器の使用者名を含むことができる。
【００１１】
ここで、この発明の通話制御システムにおいて、前記通話参加確認手段は、他の通話機器から所定の信号を受信した場合、通話参加を確認することができる。
【００１２】
ここで、この発明の通話制御システムにおいて、前記配信手段は、各通話機器から送信された通話を減算した通話を該各通話機器へ配信することができる。
【００１３】
この発明の通話機器は、複数の通話機器間の通話制御システムにおける通話機器であって、他の複数の通話機器間との通話を制御する配信センタの電話番号および他の通話機器の電話番号を入力する電話番号入力手段と、配信センタ側コンピュータへの上りチャネル中における所定のスチール・ビットで形成された制御チャネルを通して所定のパターン・データを送信するパターン・データ送信手段と、前記パターン・データ送信手段により送信された所定のパターン・データを検出した配信センタ側コンピュータから電話番号送信可能の信号を受信した場合、前記電話番号入力手段により入力された他の通話機器の電話番号を前記制御チャネルを通して配信センタ側コンピュータへ送信する電話番号送信手段とを備えたことを特徴とする。
【００１４】
この発明の配信センタ側コンピュータは、複数の通話機器間の通話制御システムにおける該複数の通話機器間の通話を制御する配信センタ側コンピュータであって、通話機器から送信されたデータ中に、配信センタ側コンピュータへの上りチャネル中における所定のスチール・ビットで形成された制御チャネルを通して送信された所定のパターン・データを検出した場合、電話番号送信可能の信号を該通話機器への下りチャネルを通して送信する通話機器識別手段と、通話機器から送信された電話番号に対応する他の通話機器へ通話参加の有無を問い合わせる問い合わせ情報を送信し、通話参加の有無を確認する通話参加確認手段であって、該通話機器は前記通話機器識別手段から電話番号送信可能の信号を受信したものであり、前記通話参加確認手段により他の通話機器の通話参加の確認が行われた場合、通話機器と該他の通話機器との間を接続して通話を配信する配信手段とを備えたことを特徴とする。
【００１５】
この発明の通話制御方法は、複数の通話機器と、該複数の通話機器間の通話を制御する配信センタ側コンピュータとを有する通話制御システムにおける通話制御方法であって、複数の通話機器のうち少なくとも１つの通話機器が、配信センタの電話番号および他の通話機器の電話番号を入力する電話番号入力ステップと、通話機器から配信センタ側コンピュータへの上りチャネル中における所定のスチール・ビットで形成された制御チャネルを通して所定のパターン・データを送信するパターン・データ送信ステップと、通話機器から送信されたデータ中に前記パターン・データ送信ステップにより送信された所定のパターン・データを検出した場合、電話番号送信可能の信号を配信センタ側コンピュータから該通話機器への下りチャネルを通して送信する通話機器識別ステップと、通話機器が配信センタ側コンピュータから電話番号送信可能の信号を受信した場合、前記電話番号入力ステップにより入力された他の通話機器の電話番号を前記制御チャネルを通して配信センタ側コンピュータへ送信する電話番号送信ステップと、前記電話番号送信ステップにより送信された電話番号に対応する他の通話機器へ通話参加の有無を問い合わせる問い合わせ情報を送信し、通話参加の有無を確認する通話参加確認ステップと、前記通話参加確認ステップにより他の通話機器の通話参加の確認が行われた場合、通話機器と該他の通話機器との間を接続して通話を配信する配信ステップとを備えたことを特徴とする。
【００１６】
この発明のプログラムは、複数の通話機器間の通話制御システムにおける通話機器を制御するプログラムであって、コンピュータを、他の複数の通話機器間との通話を制御する配信センタ側コンピュータを有する配信センタの電話番号および他の通話機器の電話番号を入力する電話番号入力手段、配信センタ側コンピュータへの上りチャネル中における所定のスチール・ビットで形成された制御チャネルを通して所定のパターン・データを送信するパターン・データ送信手段、前記パターン・データ送信手段により送信された所定のパターン・データを検出した配信センタ側コンピュータから電話番号送信可能の信号を受信した場合、前記電話番号入力手段により入力された他の通話機器の電話番号を前記制御チャネルを通して配信センタ側コンピュータへ送信する電話番号送信手段として機能させるためのプログラムである。
【００１７】
この発明のプログラムは、複数の通話機器間の通話制御システムにおける該複数の通話機器間の通話を制御する配信センタ側コンピュータのプログラムであって、配信センタ側コンピュータを、通話機器から送信されたデータ中に、配信センタ側コンピュータへの上りチャネル中における所定のスチール・ビットで形成された制御チャネルを通して送信された所定のパターン・データを検出した場合、電話番号送信可能の信号を該通話機器への下りチャネルを通して送信する通話機器識別手段、通話機器から送信された電話番号に対応する他の通話機器へ通話参加の有無を問い合わせる問い合わせ情報を送信し、通話参加の有無を確認する通話参加確認手段であって、該通話機器は前記通話機器識別手段から電話番号送信可能の信号を受信したものであり、前記通話参加確認手段により他の通話機器の通話参加の確認が行われた場合、通話機器と該他の通話機器との間を接続して通話を配信する配信手段として機能させるためのプログラムである。
【００１８】
【発明の実施の形態】
以下、図面を参照して本発明の各実施の形態を詳細に説明する。
【００１９】
図１は、本発明の通話制御システムの一実施の形態に係るＰＨＳ多地点間通話システムを示す。図１において、符号２０はＰＨＳ網、１０はＰＨＳ網２０と接続した後述するビット・スチール対応のＰＨＳ電話機等の通話機器、４０はＩＳＤＮ、７０はＩＳＤＮ４０と接続したディジタル電話機等のディジタル端末、５０はアナログ電話網、８０はアナログ電話網５０と接続したアナログ電話機等のアナログ端末、６０は携帯電話網、９０は携帯電話網６０と接続した携帯電話、２５はＰＨＳ網２０、ＩＳＤＮ４０、アナログ電話網５０および携帯電話網６０等の複数の網と接続した音声配信センタ（以下、「配信センタ」と略する）、３０は配信センタ２５内で通話制御を行う配信センタ側コンピュータである。ＰＨＳ多地点間通話システムの動作の説明は以下の図２および図３の説明の次に後述する。
【００２０】
図２は、本発明の通話機器１０の機能を示すブロック図である。図２で図１と同じ符号を付した箇所は同じ機能を示すため説明は省略する。図２において、符号１２は配信センタ２５の電話番号および他の通話機器７０等の電話番号を入力する電話番号入力手段、１４は配信センタ側コンピュータ３０への上りチャネル中において、所定のスチール・ビットにより形成された制御チャネルを通して所定のパターン・データを送信するパターン・データ送信手段、１６は配信センタ側コンピュータ３０から電話番号送信可能の信号を受信した場合、電話番号入力手段１２により入力された他の通話機器７０等の電話番号を制御チャネルを通して配信センタ側コンピュータ３０へ送信する電話番号送信手段、１８は電話番号入力手段１２、パターン・データ送信手段１４および電話番号送信手段１６と外部のＰＨＳ網２０等とを接続するインタフェース（Ｉ／Ｆ）回路である。
【００２１】
図３は、本発明の配信センタ側コンピュータ３０の機能を示すブロック図である。図３で図１と同じ符号を付した箇所は同じ機能を示すため説明は省略する。図３において、符号３２は通話機器１０から送信されたデータ中にパターン・データ送信手段１４により送信された所定のパターン・データを検出した場合、電話番号送信可能の信号を通話機器１０への下りチャネルを通して送信する通話機器識別手段、３４は電話番号送信手段１６により送信された電話番号に対応する他の通話機器７０等へ通話参加の有無を問い合わせる問い合わせ情報を送信し、通話参加の有無を確認する通話参加確認手段、３６は通話参加確認手段３４により他の通話機器７０等の通話参加の確認が行われた場合、通話機器１０と他の通話機器７０等との間を接続して通話を配信する配信手段、３８は通話機器識別手段３２、通話参加確認手段３４および配信手段３６と外部のＰＨＳ網２０等とを接続するインタフェース（Ｉ／Ｆ）回路である。
【００２２】
図４は、本発明の通話制御システムにおける通話制御方法のシーケンスを例示する。図４において左から順に、通話に参加を要請する参加要請者側のＰＨＳ１０、配信センタ側コンピュータ３０、参加被要請者Ａ側のアナログ端末８０および参加要請者Ｂ側のディジタル端末７０の動作のシーケンスが示されている。図４に示されているように、ＰＨＳ１０は例えば３２Ｋｂ／ｓの通信速度を有するディジタル通話機器であり、上りチャネル中に所定のビットをスチールして制御チャネルを形成することができる上り信号ビット・スチール機能を有している。配信センタ側コンピュータ３０は電話番号が例えば０４２２−４２−４２４２である配信センタが有するコンピュータであり、ビット・スチール機能を有し通信処理および音声処理（後述の合成／配信機能を含む）等を行う。アナログ端末８０はアナログ通信機器であり、電話番号は例えば０３−１２３４−５６７８である。ディジタル端末７０は例えば６４Ｋｂ／ｓの通信速度を有するＩＳＤＮ通信機器であり、電話番号は例えば０４５４−５６−１２３４である。
【００２３】
図４に示されるように、ＰＨＳ１０側の参加要請者が多地点間通話を望む場合、電話番号入力手段１２により通話を望む相手の電話番号を入力する（ステップＳ１０）。通話を望む相手の電話番号が、例えば０３−１２３４−５６７８および０４５４−５６−１２３４である場合、「０３１２３４５６７８＃０４５４５６１２３４＃０４２２４２４２４２」のように区切り符号「＃」で区切りながら入力する。ここで、最後に入力した電話番号は配信センタ２５の電話番号である。発信ボタン（不図示）を押下する（ステップＳ１２）と、ＰＨＳ１０は電話番号入力手段１２により入力された最後の電話番号に発信し、この結果配信センタ２５に接続される（ステップＳ１４）。配信センタ２５の電話番号の入力を最初に行い、その後に通話を望む相手の電話番号を入力してもよい。
【００２４】
接続されるとＰＨＳ１０はビット・スチール通信モードへ移行し、スチール・ビットで形成された制御チャネルを通して所定のパターン・データを送出する（ステップＳ１６）。すなわち、ＰＨＳ１０は自らがビット・スチール機能を有する通話機器であることを配信センタ２５へ通知する。
【００２５】
図５は、ビット・スチール機能を説明する。図５において、符号１００はＰＨＳ１０から配信センタ２５へ送信される上りチャネル（情報）であり、例えば８ビットで構成されている。上りチャネル１００は例えば７ビットが符号化音声情報１１０であり、１ビットがビット・スチール部であり制御チャネル（情報）１２０を形成している。符号１３０は配信センタ２５からＰＨＳ１０へ送信される下りチャネル（情報）であり、例えば８ビットで構成されている。下りチャネル１３０は８ビットが符号化音声情報であり、スチール・ビットによる制御チャネルは形成されない。これは、配信センタ２５が各通話機器からの音声情報を合成して下りの音声として送信する場合、通話機器がビット・スチール機能を有しているか否かによって、制御チャネル１２０の有無を意識させないで済ませるようにするためである。
【００２６】
図４に戻って説明を続ける。パターン・データ送信手段１４は、所定のパターン・データとして、例えば「１１１１１１１１１１１１１１１１」のような１６ビットの同一パターン・データを５回送信することができる（ステップＳ１６）。配信センタ側コンピュータ３０の通信機器識別手段３２は、スチール・ビットが形成される制御チャネル１２０の可能性があるビット列の中に、上記パターン・データを３回検出した場合、当該データの発信元をビット・スチール機能を有する通話機器であると判断し、参加被要請者の電話番号を送信を待つ状態となる。通話機器識別手段３２は電話番号送信可能の信号を下りチャネル１３０を使用してビット・スチール機能を有する通話機器（ＰＨＳ１０）へ送信する（ステップＳ１８）。図５に示されるように、上りチャネル１００中の１ビットを制御チャネル１２０とすると、このチャネル１００は４Ｋｂ／ｓ（約５００バイト／ｓ）相当の通信速度を有しているため、上述のような１６ビット（２バイト）のパターン・データ「１１１１１１１１１１１１１１１１」を５回送信した場合であっても、送信する情報は１０バイトとなり、結局、送信に必要な時間は１／５０秒となる。すなわち、配信センタ側コンピュータ３０がＰＨＳ１０をビット・スチール機能を有するビット・スチール通話機器であると認識するために必要な処理時間は約２０ミリ秒程度となる。
【００２７】
ＰＨＳ１０の電話番号送信手段１６は、ステップＳ１８で電話番号送信可能の信号を受信すると、制御チャネル１２０を使用して、電話番号入力手段１２により入力された複数の通話機器７０等の電話番号を通知する（ステップＳ２０）。上述の例では、アナログ端末８０は東京にあり、ディジタル端末７０は横浜にある。
【００２８】
配信センタ側コンピュータ３０の通話機器識別手段３２は、上述の複数の通話機器７０等へ接続を行う（ステップＳ２２、Ｓ２４）。但し、通話機器から送信されたデータ中にパターン・データ送信手段により送信された所定のパターン・データを検出しなかった場合、例えば「こちらは配信センタです」等の音声情報を通知して、回線を開放する。この結果、配信センタへの誤接続等のトラブルを回避することができる。
【００２９】
配信センタ側コンピュータ３０の通話参加確認手段３４は、ＰＨＳ１０等のビット・スチール通話機器から送信された電話番号に対応する他の通話機器がアナログ端末８０である場合、応答が行われたことを加入回線の極性反転で検知すると（ステップＳ２６）、例えば「こちらは配信センタです。０３−９８７６−５４３２様から会話への参加の呼びかけがあります」等の問い合わせ情報を送信し通話参加の有無を問い合わせる（ステップＳ２８）。ここで「０３−９８７６−５４３２」は参加要請者側のＰＨＳ１０等のビット・スチール通話機器の電話番号である。つまり配信センタ２５からの呼び出しである旨を音声で通知し、参加の意思の有無を問い合わせる。問い合わせ情報は、参加要請者側の電話番号だけではなく、そのビット・スチール通話機器の使用者名（参加要請者名）を含むものであってもよい。したがって電子メール機能を利用して参加要請者名をカナ文字等で投入し、配信センタ側コンピュータ３０から音声で通知することもできる。
【００３０】
配信センタ側コンピュータ３０の通話参加確認手段３４は、所定の時間内に参加被要請者側の通話機器８０等から所定のボタン、例えば「＊」ボタンの信号が送信された場合、参加を了承したものと確認することができる（ステップＳ３０）。この後、配信センタ側コンピュータ３０の配信手段３６は、当該回線からの音声情報をＰＨＳ１０等のビット・スチール通話機器を含む通話グループに接続する（ステップＳ３２、Ｓ３４）。この結果、ＰＨＳ１０側の参加要請者はアナログ端末８０側の被参加要請者Ａと音声情報を交換することができる。
【００３１】
ＰＨＳ１０とディジタル端末７０との間の処理も上述と同様に行うことができる。ディジタル端末７０側から応答があると（ステップＳ３６）、配信センタ側コンピュータ３０の通話参加確認手段３４は問い合わせ情報を送信し通話参加の有無を問い合わせる（ステップＳ３８）。所定の時間内に参加被要請者側の通話機器７０等から所定のボタン、例えば「＊」ボタンの信号が送信された場合、参加を了承したものと確認することができる（ステップＳ４０）。この後、配信センタ側コンピュータ３０の配信手段３６は、当該回線からの音声情報をＰＨＳ１０等のビット・スチール通話機器を含む通話グループに接続する（ステップＳ４２、Ｓ４４、Ｓ４６）。この結果、ＰＨＳ１０側の参加要請者はアナログ端末８０側の被参加要請者Ａおよびディジタル端末７０側の被参加要請者Ｂと音声情報を交換することができる。
【００３２】
配信手段３６は全対地の音声を順次合成して配信することができる。この場合、自分の音声をエコーのように聞いて、不快感を味わうことがないようにするため、各対地には自らの音声を減算した音声を配信することができる。図６は、減算した音声の配信を説明する。図６で、図１または図５と同じ符号を付した箇所は同じ要素を示すため説明は省略する。図６で符号２００はブロック図を用いて説明した配信手段３６の機能、３００はアナログ端末８０から送信される上りの音声情報、３１０はアナログ端末８０へ送信される下りの音声情報、３２０はディジタル端末７０から送信される上りの符号化音声情報、３３０はディジタル端末７０へ送信される下りの符号化音声情報である。配信手段３６の機能２００はＤ／Ａ変換部２１０ａおよび２１０ｂ、Ａ／Ｄ変換部２２０ａおよび２２０ｂ、音声を合成する合成部２３０、音声を減算する減算部２３５ａ、２３５ｂおよび２３５ｃを有している。例えば、ＰＨＳ１０からの上りチャネル１００の符号化音声情報はＤ／Ａ変換部２１０ａによりアナログ・データへ変換され、音声情報３００およびＤ／Ａ変換部２１０ｂにより変換されたアナログ・データと共に合成部２３０で合成される。合成された音声は減算部２３５ａによりＰＨＳ１０側の音声のみ減算され、Ａ／Ｄ変換部２２０ａにより符号化音声情報へ変換されてＰＨＳ１０への下りチャネル１３０へ送信される。この結果、ＰＨＳ１０側へ自らの音声を減算した音声を配信することができる。アナログ端末８０側も同様に、合成部２３０で合成された音声は減算部２３５ｂによりアナログ端末８０側の音声のみ減算されてアナログ端末８０へ音声情報３１０として送信される。この結果、アナログ端末８０側へ自らの音声を減算した音声を配信することができる。ディジタル端末７０側も同様に、合成部２３０で合成された音声は減算部２３５ｃによりディジタル端末７０側の音声のみ減算され、Ａ／Ｄ変換部２２０ｂによりディジタル・データへ変換されてディジタル端末７０へ符号化音声情報３３０として送信される。この結果、ディジタル端末７０側へ自らの音声を減算した音声を配信することができる。
【００３３】
配信手段３６の機能２００はハードウェア状のブロック図を用いて説明されたが、ソフトウェアとして実現することも可能であることは勿論である。各対地に送信する音声情報を合算する時に予め自らの音声情報を抜いておくこともできる。上述のように、３箇所を接続して会話を行っている最中に誰かを追加する場合、ビット・スチール通話機器を持っている者が発信ボタン（不図示）の押下の後に追加したい者の電話番号を入力すると、制御情報として制御チャネル１２０から配信センタ側コンピュータ３０へ電話番号が通知される。この後、配信センタ側コンピュータ３０は上述と同様の動作を実施することにより、新たな通話相手を追加することができる。
【００３４】
以上より、本発明の実施の形態によれば、ビット・スチール機能を有するビット・スチール通話機器１０から配信センタ側コンピュータ３０への上りチャネル１００中にスチール・ビットによる制御チャネル１２０を形成することができる。この制御チャネル１２０にビット・スチール通話機器であることを示す所定のパターン・データを送信することにより、配信センタ側コンピュータ３０はビット・スチール通話機器１０からの送信であることを識別することができる。この後、配信センタ側コンピュータ３０はビット・スチール通話機器１０から複数の通話相手の電話番号を受信して、これらの通話相手が会話に参加するか否かの問い合わせを行う。会話に参加する了解を得た複数の通話相手とビット・スチール通話機器１０とを接続することにより、同時に多数の機種の異なる通話機器間で通話を行うことができる。会話を行っている最中に、ビット・スチール通話機器１０を持っている者が追加したい者の電話番号を入力することにより、制御情報として制御チャネル１２０から配信センタ側コンピュータ３０へ電話番号が通知され、新たな通話相手を追加することができる。各対地には自らの音声を減算した音声を配信することができるため、自分の音声をエコーのように聞いて、不快感を味わうことがないようにすることができる。
【００３５】
【発明の効果】
以上説明したように、本発明の通話制御システム等によれば、ＰＨＳ通信システム等の複数の通話機器間の通話を制御する通話制御システムにおいて、ビット・スチール通話機器を用いて上りチャネルの制御チャネルを形成し、複数の通話相手の電話番号を送信することにより、同時に多数の機種の異なる通話機器間で通話を行うことができる通話制御システムを提供することができる。各対地には自らの音声を減算した音声を配信することにより、音声品質を確保しつつ、随時多数の参加者を募り通話に参加させる方法を実現することができる通話制御システムを提供することができる。
【図面の簡単な説明】
【図１】  本発明の通話制御システムの一実施の形態に係るＰＨＳ多地点間通話システムを示す図である。
【図２】  本発明の通話機器１０の機能を示すブロック図である。
【図３】  本発明の配信センタ側コンピュータ３０の機能を示すブロック図図である。
【図４】  本発明の通話制御システムにおける通話制御方法のシーケンスを例示する図である。
【図５】  ビット・スチール機能を説明する図である。
【図６】  減算した音声の配信を説明する図である。
【符号の説明】
１０  通話機器、  １２  電話番号入力手段、  １４  パターン・データ送信手段、  １６  電話番号送信手段、  １８，３８  インタフェース（Ｉ／Ｆ）回路、  ２０  ＰＨＳ網、  ２５  音声配信センタ（配信センタ）、  ３０  配信センタ側コンピュータ、  ３２  通話機器識別手段、  ３４  通話参加確認手段、  ３６  配信手段、  ４０  ＩＳＤＮ、  ５０  アナログ電話網、  ６０  携帯電話網、  ７０  ディジタル端末、  ８０  アナログ端末、  ９０  携帯電話、  １００  上りチャネル（情報）、  １１０，１４０  符号化音声情報、  １２０  制御チャネル（情報）、  １３０  下りチャネル（情報）、  ２００  配信手段３６の機能ブロック、  ２１０ａ，２１０ｂ  Ｄ／Ａ変換部、  ２２０ａ，２２０ｂ  Ａ／Ｄ変換部、  ２３０  合成部、  ２３５ａ、２３５ｂ，２３５ｃ  減算部、  ３００  上りの音声情報、  ３１０  下りの音声情報、  ３２０上りの符号化音声情報、  ３３０  下りの符号化音声情報。
【図１】
0003821677.tif 000002
【図２】
0003821677.tif 000003
【図３】
0003821677.tif 000004
【図４】
0003821677.tif 000005
【図５】
0003821677.tif 000006
【図６】
0003821677.tif 000007